(57)【要約】    【課題】  高解像度で、処理時間が短く、かつ低コストの画像読取装置を提供する。    【解決手段】  第１センサ１０１に並行して第２センサ１０２を設ける。第２センサ１０２を構成する各センサ素子のピッチは、第１センサ１０１を構成する各センサ素子のピッチと同じであるとともに、第１センサ１０１から１／２ピッチだけずれている。低解像度での画像読取りでは、第１センサ１０１のみからの出力データに基づき画像データ処理を行い、また、高解像度での画像読取りでは、第１センサ１０１及び第２センサ１０２からの出力データに基づき画像データ処理を行う。【選択図】      図１
2006093820.tif 000002
【特許請求の範囲】
【請求項１】
所定のピッチで所定方向に直線状に配列された複数の第１の受光部からなる第１の光電変換手段と、
前記複数の第１の受光部の各々に対して前記所定のピッチの半分のピッチ分だけ前記所定方向にそれぞれずれて直線状に配列された複数の第２の受光部からなるとともに、前記所定方向の長さが前記第１の光電変換手段よりも短い第２の光電変換手段と
を有することを特徴とするリニアイメージセンサ。
【請求項２】
前記所定方向は主走査方向であり、前記第２の光電変換手段は、前記第１の光電変換手段に対して副走査方向に所定距離だけ離れて平行に配置されることを特徴とする請求項１記載のリニアイメージセンサ。
【請求項３】
前記第１の光電変換手段は、各々がカラー画像を読み取るための複数の基本色に対応するとともに、前記第１の光電変換手段と同一の構成を持つ複数の第３の光電変換手段からなり、
前記第２の光電変換手段は、各々がカラー画像を読み取るための複数の基本色に対応するとともに、前記第２の光電変換手段と同一の構成を持つ複数の第４の光電変換手段からなり、
前記複数の第３の光電変換手段の各々と前記複数の第４の光電変換手段の各々とが、前記基本色ごとに互いに近接して配置されることを特徴とする請求項１記載のイメージセンサ。
【請求項４】
前記第１の光電変換手段は、各々がカラー画像を読み取るための複数の基本色に対応するとともに、前記第１の光電変換手段と同一の構成を持つ複数の第３の光電変換手段からなり、
前記第２の光電変換手段は、各々がカラー画像を読み取るための複数の基本色に対応するとともに、前記第２の光電変換手段と同一の構成を持つ複数の第４の光電変換手段からなり、
前記複数の第３の光電変換手段の各々が互いに近接して配置されるとともに、前記複数の第４の光電変換手段の各々が互いに近接して配置されることを特徴とする請求項１記載のリニアイメージセンサ。
【請求項５】
請求項１乃至４のいずれか１項に記載のリニアイメージセンサと、
画像読取りを第１の解像度で行う場合には、前記第１の光電変換手段からの出力信号に基づき、また前記第１の解像度よりも高い第２の解像度で行う場合には、前記第１の光電変換手段及び前記第２の光電変換手段からの各出力信号に基づき、画像データ処理を行う画像データ処理手段と
を有することを特徴とする画像読取装置。
【請求項６】
前記第２の光電変換手段の前記所定方向の長さを一辺とする所定領域に、前記第２の解像度で画像読取りを行われるべき原稿が置かれることを特徴とする請求項５記載の画像読取装置。
【請求項７】
前記画像データ処理手段は、前記第２の解像度で画像読取りを行う場合、前記第１の光電変換手段及び前記第２の光電変換手段からの各出力信号に基づき、主走査方向の同じ位置の画素が前記所定のピッチの半分のピッチ分だけずれて読み込まれることにより起こる空間的ずれを補正することを特徴とする請求項５記載の画像読取装置。
【請求項８】
前記画像データ処理手段は、前記第２の解像度で画像読取りを行う場合、前記第１の光電変換手段及び前記第２の光電変換手段からの各出力信号に基づき、画像データを並び替えて合成することを特徴とする請求項５記載の画像読取装置。
【請求項９】
所定のピッチで所定方向に直線状に配列された複数の第１の受光部からなる第１の光電変換手段と、前記複数の第１の受光部の各々に対して前記所定のピッチの半分のピッチ分だけ前記所定方向にそれぞれずれて直線状に配列された複数の第２の受光部からなるとともに、前記所定方向の長さが前記第１の光電変換手段よりも短い第２の光電変換手段とを備えた画像読取装置に適用される画像読取方法において、
画像読取りを第１の解像度で行う場合には、前記第１の光電変換手段からの出力信号に基づき、画像データ処理を行う第１の画像データ処理ステップと、
画像読取りを前記第１の解像度よりも高い第２の解像度で行う場合には、前記第１の光電変換手段及び前記第２の光電変換手段からの各出力信号に基づき、画像データ処理を行う第２の画像データ処理ステップと
を有することを特徴とする画像読取方法。
【請求項１０】
前記第２の光電変換手段の前記所定方向の長さを一辺とする所定領域に、前記第２の解像度で画像読取りを行われるべき原稿が置かれることを特徴とする請求項９記載の画像読取方法。
【請求項１１】
前記第２の画像データ処理ステップでは、前記第１の光電変換手段及び前記第２の光電変換手段からの各出力信号に基づき、主走査方向の同じ位置の画素が前記所定のピッチの半分のピッチ分だけずれて読み込まれることにより起こる空間的ずれを補正することを特徴とする請求項９記載の画像読取方法。
【請求項１２】
前記第２の画像データ処理ステップでは、前記第１の光電変換手段及び前記第２の光電変換手段からの各出力信号に基づき、画像データを並び替えて合成することを特徴とする請求項９記載の画像読取方法。
【請求項１３】
所定のピッチで所定方向に直線状に配列された複数の第１の受光部からなる第１の光電変換手段と、前記複数の第１の受光部の各々に対して前記所定のピッチの半分のピッチ分だけ前記所定方向にそれぞれずれて直線状に配列された複数の第２の受光部からなるとともに、前記所定方向の長さが前記第１の光電変換手段よりも短い第２の光電変換手段とを備えた画像読取装置に適用される画像読取方法を、コンピュータに実行させるためのプログラムにおいて、
画像読取りを第１の解像度で行う場合には、前記第１の光電変換手段からの出力信号に基づき、画像データ処理を行う第１の画像データ処理ステップと、
画像読取りを前記第１の解像度よりも高い第２の解像度で行う場合には、前記第１の光電変換手段及び前記第２の光電変換手段からの各出力信号に基づき、画像データ処理を行う第２の画像データ処理ステップと
を有することを特徴とするプログラム。
【発明の詳細な説明】
【技術分野】
【０００１】
本発明は、リニアイメージセンサ、画像読取装置、画像読取方法、及びプログラムに関し、特に、異なる解像度で画像読取りを行うことのできるリニアイメージセンサ、該リニアイメージセンサを備えた画像読取装置、該画像読取装置に適用される画像読取方法、及び該画像読取方法をコンピュータに実行させるためのプログラムに関する。
【背景技術】
【０００２】
一般に、画像を受光部で読取り、電気信号に変換するイメージスキャナ等の画像読取装置において、フォトセンサアレイ群のリニアイメージセンサ等で構成される受光部では、画像読取り対象となる原稿の大きさやサンプリング密度に対応した画素数を備えたものが用意されるとともに、一般にＲＧＢ各色に対応した各センサによって構成される。
【０００３】
ところで、原稿からの反射光を受けて、例えば２４００ｄｐｉ以下の解像度で画像読取りを行う通常の画像読取装置において、写真フィルムのような透過原稿を、例えば４８００ｄｐｉの解像度で読み取りたい場合、受光部のセンサ素子密度を上げる必要があるが、限られたスペース内でセンサ素子密度を上げることには限界がある。
【０００４】
そこで従来、同一の解像度をもつリニアイメージセンサを２列、１／２ピッチずらして千鳥に配置し、２列のリニアイメージセンサの各センサ素子からジグザグに交互に画素信号を取り出すとともに、空間的なずれを補正するようにして、上記の解像度の２倍の解像度を確保するようにした画像読取装置が提案されている（特許文献１参照）。
【０００５】
また、通常の解像度のリニアイメージセンサに加え、高解像度のリニアイメージセンサを備え、これらのセンサのいずれかを用いることで、解像度の異なる画像読取りを可能にしたとは画像読取装置が提案されている（特許文献２参照）。
【特許文献１】特開平１１−３４１２３８号公報
【特許文献２】特開平１０−３２７２９４号公報
【発明の開示】
【発明が解決しようとする課題】
【０００６】
しかしながら、一般に、高解像度で読み取らねばならない写真フィルムのような透過原稿の読み取りは、通常の解像度での画像読取りに比べて発生頻度が低い。それにも拘らず、上記特許文献１に示す画像形成装置では、常時、高解像度読取りを行うようにするので、通常の解像度で足りる画像読取り時において、無駄な画像読取り処理を行うことになり、処理時間を不必要に長くしてしまうという問題があった。
【０００７】
また、上記特許文献２に示す画像形成装置では、この発生頻度の低い高解像度での画像読取りのために、高解像度の高価なリニアイメージセンサを用意する必要があり、画像読取装置をコスト高にしてしまうという問題であった。
【０００８】
本発明はこのような問題点に鑑みてなされたものであって、高解像度で、処理時間が短く、かつ低コストのリニアイメージセンサ、画像読取装置、画像読取方法、及びプログラムを提供することを目的とする。
【課題を解決するための手段】
【０００９】
上記目的を達成するために、請求項１記載の発明によれば、所定のピッチで所定方向に直線状に配列された複数の第１の受光部からなる第１の光電変換手段と、前記複数の第１の受光部の各々に対して前記所定のピッチの半分のピッチ分だけ前記所定方向にそれぞれずれて直線状に配列された複数の第２の受光部からなるとともに、前記所定方向の長さが前記第１の光電変換手段よりも短い第２の光電変換手段とを有することを特徴とするリニアイメージセンサが提供される。
【００１０】
また、請求項５記載の発明によれば、所定のピッチで所定方向に直線状に配列された複数の第１の受光部からなる第１の光電変換手段と、前記複数の第１の受光部の各々に対して前記所定のピッチの半分のピッチ分だけ前記所定方向にそれぞれずれて直線状に配列された複数の第２の受光部からなるとともに、前記所定方向の長さが前記第１の光電変換手段よりも短い第２の光電変換手段と、画像読取りを第１の解像度で行う場合には、前記第１の光電変換手段からの出力信号に基づき、また前記第１の解像度よりも高い第２の解像度で行う場合には、前記第１の光電変換手段及び前記第２の光電変換手段からの各出力信号に基づき、画像データ処理を行う画像データ処理手段とを有することを特徴とする画像読取装置が提供される。
【００１１】
また、請求項９記載の発明によれば、所定のピッチで所定方向に直線状に配列された複数の第１の受光部からなる第１の光電変換手段と、前記複数の第１の受光部の各々に対して前記所定のピッチの半分のピッチ分だけ前記所定方向にそれぞれずれて直線状に配列された複数の第２の受光部からなるとともに、前記所定方向の長さが前記第１の光電変換手段よりも短い第２の光電変換手段とを備えた画像読取装置に適用される画像読取方法において、画像読取りを第１の解像度で行う場合には、前記第１の光電変換手段からの出力信号に基づき、画像データ処理を行う第１の画像データ処理ステップと、画像読取りを前記第１の解像度よりも高い第２の解像度で行う場合には、前記第１の光電変換手段及び前記第２の光電変換手段からの各出力信号に基づき、画像データ処理を行う第２の画像データ処理ステップとを有することを特徴とする画像読取方法が提供される。
【００１２】
さらに、上記画像読取方法をコンピュータに実行させるためのプログラムが提供される。
【発明の効果】
【００１３】
本発明によれば、
第１の解像度（低解像度）での画像読取りでは、第１の光電変換手段のみからの出力信号に基づく画像データ処理を行うことで処理時間を短くでき、また、第２の解像度（高解像度）での画像読取りでは、高価な高解像度用リニアイメージセンサを用いることなく、第１及び第２の光電変換手段からの各出力信号に基づき画像データ処理を行うことで低コストの画像読取装置を提供できる。
【発明を実施するための最良の形態】
【００１４】
以下、本発明を実施するための最良の形態について、図面を参照して説明する。
【００１５】
〔第１の実施の形態〕
図１は、本発明の第１の実施の形態に係る画像読取装置に使用されるリニアイメージセンサの構成を示す平面図である。（Ｂ）は（Ａ）の部分拡大図である。
【００１６】
図１において、リニアイメージセンサは、第１センサ１０１と第２センサ１０２とを有し、第１センサ１０１と第２センサ１０２とは、近接した状態で基板１０３に実装されている。基板１０３はパッケージ１０６に収納されている。第２センサ１０２の主走査方向（図１における左右方向）の長さは、第１センサ１０１の主走査方向の長さよりも短く、かつ第２センサ１０２は、第１センサ１０１の主走査方向に対して所定の位置に配置される。この第２センサ１０２の長さ及び配置位置は、高解像度で読み取らねばならない写真フィルムのような透過原稿の大きさと、該透過原稿の原稿台における読み取り位置とに応じて決定される。
【００１７】
第１センサ１０１は、所定のピッチＰ１で配置された複数の受光部１０１−１〜１０１−ｎを備え、また、第２センサ１０２は、第１センサ１０１と同じピッチＰ１で配置された複数の受光部１０２−１〜１０２−ｎを備える。第１センサ１０１の受光部１０１−１〜１０１−ｎは各々、第２センサ１０２の受光部１０２−１〜１０２−ｎの各々に対して、主走査方向に（Ｐ１）／２ピッチずらした状態で配置されており、第１センサ１０１の受光部１０１−１〜１０１−ｎと、第２センサ１０２の受光部１０２−１〜１０２−ｎとは千鳥配置となっている。
【００１８】
また第１センサ１０１と第２センサ１０２とは別個のチップ部品として形成されており、基板１０３上で距離Ｄ１だけ離れて配置されている。
【００１９】
第１センサ１０１では、通常の反射原稿から、画像が読取れる程度の解像度で読取りを行い、各受光部１０１−１〜１０１−ｎで電気信号に変換して出力する。通常の反射原稿からの画像読取りでは、第２センサ１０２を動作させない。
【００２０】
一方、透過原稿の画像読取りであり、高解像度での読取りが必要とされる場合、第１センサ１０１に加え、第２センサ１０２も動作させ、第１センサ１０１の各受光部１０１−１〜１０１−ｎおよび第２センサ１０２の各受光部１０２−１〜１０２−ｎから、交互に画素信号を取り出して画像読取りを行う。例えば、画素信号の取り出しを、第１センサ１０１の受光部１０１−１、第２センサ１０２の受光部１０２−１、第１センサ１０１の受光部１０１−２、・・・という順番で行う。
【００２１】
以上説明したリニアイメージセンサを用いた画像読取装置については、後述の第２の実施の形態において説明する。ここでは、説明を省略する。
【００２２】
〔第２の実施の形態〕
図２は、第２の実施の形態に係る画像読取装置に使用されるリニアイメージセンサの構成を示す平面図である。（Ｂ）は（Ａ）におけるＲ（赤色）のセンサ部の部分拡大図である。第２の実施の形態におけるリニアイメージセンサは、カラー画像を読取るためのものである。
【００２３】
第２の実施の形態では、第１の実施の形態における第１センサ１０１に対応する受光部として、ピッチＰ１で配列されるＲ（赤色）用の受光部２０１ｒと、ピッチＰ１で配列されるＧ（緑色）用の受光部２０１ｇと、ピッチＰ１で配列されるＢ（青色）用の受光部２０１ｂとで構成される。また、第２の実施の形態では、第１の実施の形態における第２センサ１０２に対応する受光部として、それぞれがピッチＰ１でそれぞれ配列されるＲ，Ｇ，Ｂ用の受光部２０２ｒ，２０２ｇ，２０２ｂの３列で構成される。受光部２０２ｒ，２０２ｇ，２０２ｂの主走査方向の長さは各々、第１の実施の形態と同様に、受光部２０１ｒ，２０１ｇ，２０１ｂよりも短く、且つ主走査方向の所定の位置に配置される。
【００２４】
Ｒ用の受光部２０１ｒと受光部２０２ｒとは、距離Ｄ１だけ離れて配置されるとともに、主走査方向に（Ｐ１）／２ピッチずれた千鳥配置となっている。同様に、Ｇ用の受光部２０１ｇと受光部２０２ｇとは、距離Ｄ１だけ離れて、主走査方向に（Ｐ１）／２ピッチずれた千鳥配置となっており、Ｂ用の受光部２０１ｂと受光部２０２ｂも、距離Ｄ１だけ離れて、主走査方向に（Ｐ１）／２ピッチずれた千鳥配置となっている。
【００２５】
また、受光部２０１ｒ，２０１ｇ，２０１ｂ及び受光部２０２ｒ，２０２ｇ，２０２ｂは、同一の基板２０３上に形成され、同一パッケージ２０６に収納される。
【００２６】
第２の実施の形態においても、通常の低解像度での読取りにおいては、第１の実施の形態における第１センサ１０１に対応する受光部２０１ｒ，２０１ｇ，２０１ｂによって、対応する色の画像の読取りをそれぞれ行う。一方、高解像度での読取りにおいては、受光部２０１ｒ，２０１ｇ，２０１ｂに加え、第１の実施の形態における第２センサ１０２に対応する受光部２０２ｒ，２０２ｇ，２０２ｂによっても、対応する色の画像の読取りをそれぞれ行う。すなわち、Ｒ（赤色）の画像の読取りについては受光部２０１ｒ，２０２ｒを用いて、Ｇ（緑色）の画像の読取りについては受光部２０１ｇ，２０２ｇを用いて、Ｂ（青色）の画像の読取りについては受光部２０１ｂ，２０２ｂを用いて、対応受光部からジグザグに交互に画素信号を取り出す。
【００２７】
図３は、第２の実施の形態におけるリニアイメージセンサを備えた画像読取装置の構成を示すブロック図である。
【００２８】
図３におけるリニアイメージセンサ４０３が、図２に示したリニアイメージセンサである。図３におけるパーソナルコンピュータ等の外部装置４０１を除く各ブロックが、画像読取装置を構成する。
【００２９】
外部装置４０１を介してユーザより入力された読取り解像度等に従い、画像読取装置が画像読取りを開始すると、リニアイメージセンサ４０３によって原稿台上の原稿が読取られる。リニアイメージセンサ４０３に接続されたセンサドライブ回路４０４は、リニアイメージセンサ４０３の動作を制御する回路であり、例えば通常の低解像度での読取りを指定された場合は、図２に示す受光部２０１ｒ，２０１ｇ，２０１ｂ（以下「第１センサ」という）を動作させ、また、高解像度での読取りを指定された場合は、図２に示す受光部２０１ｒ，２０１ｇ，２０１ｂ（第１センサ）及び受光部２０２ｒ，２０２ｇ，２０２ｂ（以下「第２センサ」という）を動作させる。
【００３０】
リニアイメージセンサ４０３による画像読取りによってリニアイメージセンサ４０３から出力された電気信号は、ＡＦＥ４０５へ送られる。ＡＦＥ４０５はアナログ・プリプロセッサであり、リニアイメージセンサ４０３より出力された電気信号に対して、増幅、ＤＣオフセット補正、Ａ／Ｄ変換等の処理を行い、デジタル画像データを出力する。
【００３１】
なお前述のように、第２センサの各センサ素子は、第１センサの各センサ素子に対して、並び方向（主走査方向）に半ピッチずらして配置されている。そのため、第１センサと第２センサとが、主走査方向の同一位置にある画素を半ピッチずれて読み込むので、両センサからそれぞれ出力される画像データには空間的ずれが生じる。この空間的ずれを補正するために、リニアイメージセンサ４０３から出力された両センサ対応の画像データに対して、空間位置補正回路４０６が補正処理を行う。すなわち空間位置補正回路４０６は、先に第１センサから読み込まれた画像データのデータ処理を、次に同一画素を第２センサで読取ることにより発生する画像データのずれ分だけ遅らせるようにする。これにより、第１センサからの画素信号と第２センサからの画素信号とが、主走査方向の同じ位置の画素に対するものとなるように補正される。この空間位置補正回路４０６での補正処理の内容は、特許文献１（特開平１１−３４１２３８号公報）に開示されるものと同じである。
【００３２】
また、リニアイメージセンサ４０３では、各色用のセンサがＲ，Ｇ，Ｂの各画像データを出力開始するタイミングが少しずつ異なる。タイミング補正部４０７は、同一の画素に関わるＲ，Ｇ，Ｂの画像データが同時に出力されるように、各色で異なる遅延時間を設定して、画像データの出力タイミングの遅延を行う。
【００３３】
シェーディング補正回路４０８は、画像データのシェーディング補正を行う。すなわち予め、基準白色板を原稿用照明装置で照射して得られた反射光をリニアイメージセンサ４０３によって読取って、基準白色レベルのデータを作成してシェーディング補正データとしてシェーディングＲＡＭ４０９に記憶しておき、シェーディング補正回路４０８は、このシェーディング補正データに基づいて、読取原稿を読取って生成された画像データに対してシェーディング補正を行う。
【００３４】
高解像度での画像読取りが選択されている場合は、データ並び替え回路４１０が、シェーディング補正回路４０８から出力された画像データの並び替えを行い、第１センサ及び第２センサより出力されてきた各画像データを合成する。
【００３５】
画像処理回路４１１は、画像データに対して、ガンマ変換処理や、外部装置４０１により予め設定された画像読取モード（２値，２４ビット多値など）に従ったパッキング処理といった所定の処理を行った後、バッファＲＡＭ４１２に書き込む。その後、バッファＲＡＭ４１２から画像データを読み出して、インターフェース回路４０２に出力する。
【００３６】
インターフェース回路４０２は、本実施の形態に係る画像読取装置のホスト装置となる外部装置４０１との間で、コントロール信号の授受や画像データの出力を行う。
【００３７】
ＣＰＵ４１３は、例えばマイクロコンピュータ形態のＣＰＵであり、本画像読取装置の各種制御を行うものである。
【００３８】
図４は、図３に示す画像読取装置において行われる画像読取処理の手順を示すフローチャートである。本画像読取処理は、ＣＰＵ４１３においてスキャナドライバが起動されることによって開始される。
【００３９】
ステップＳ５０１において、ユーザにより外部装置４０１を介して、反射原稿もしくは透過原稿の読取りモード及び解像度が設定され、この設定された読取りモード及び解像度に応じて、使用すべきセンサを決定する。例えば、読取りすべき原稿が反射原稿である読取りモードであって、２４００ｄｐｉ以下の読取り解像度が設定された場合は、第１センサを選択する。一方、読取りすべき原稿が透過原稿である読取りモードであって、２４００ｄｐｉよりも高い（例えば４８００ｄｐｉ）読取り解像度が設定された場合は、第１センサ及び第２センサを選択する。
【００４０】
ステップＳ５０２において、ステップＳ５０１で高解像度用のセンサが設定されているか否か、すなわち、第１センサ及び第２センサが選択されたか否かを判別する。高解像度用のセンサが設定されているならばステップＳ５０６へ進み、低解像度用のセンサが設定されているならばステップＳ５０３へ進む。
【００４１】
ステップＳ５０３では、リニアイメージセンサ４０３において第１センサを用いて低解像度での画像読取りを実行する。なお原稿は、原稿台上の第１センサが読取り可能である領域（原稿台のほぼ全域）に置かれる。
【００４２】
そしてステップＳ５０４において、リニアイメージセンサ４０３より出力された電気信号に対して、ＡＦＥ４０５が、増幅、ＤＣオフセット補正、Ａ／Ｄ変換等の処理を行い、デジタル画像データを出力する。
【００４３】
次のステップＳ５０５では、ＡＦＥ４０５から出力されたデジタル画像データに対して、空間位置補正用回路４０６を動作させず、タイミング補正部４０７及びシェーディング補正回路４０８に進み、タイミング補正部４０７で、各色対応の画像データに対して出力タイミングの遅延を行い、シェーディング補正回路４０８でシェーディング補正を行う。
【００４４】
ステップＳ５１１では、データ並び替え回路４１０をスキップして画像処理回路４１１へ進み、ホストとなる外部装置４０１により予め設定されたガンマカーブに従って、画像データに対してガンマ変換処理を行い、また外部装置４０１により予め設定された画像出力モードに従ってパッキング処理を行う。
【００４５】
ステップ５１２では、こうして得られた画像データをスキャナドライバに渡して本画像読取処理を終了する。
【００４６】
一方、ステップＳ５０６では、リニアイメージセンサ４０３において第１センサ及び第２センサを用いて高解像度での画像読取りを実行する。なお原稿は、原稿台上の第２センサが読取り可能である領域（第２センサの主走査方向の長さをほぼ一辺とし、第２センサの主走査方向の配置位置で決まる原稿台上の所定の領域）に置かれる。
【００４７】
そしてステップＳ５０７において、リニアイメージセンサ４０３より出力された電気信号に対して、ＡＦＥ４０５が、増幅、ＤＣオフセット補正、Ａ／Ｄ変換等の処理を行い、デジタル画像データを出力する。
【００４８】
次のステップＳ５０８では、ＡＦＥ４０５から出力されたデジタル画像データに対して、空間位置補正用回路４０６が空間位置補正を行い、第１センサと第２センサとによって主走査方向の同じ位置の画素が半ピッチずれて読み込まれることにより起こる空間的ずれを補正する。
【００４９】
ステップＳ５０９では、空間位置補正用回路４０６から出力された画像データに対して、タイミング補正部４０７が、各色対応の出力タイミングの遅延を行い、シェーディング補正回路４０８がシェーディング補正を行う。
【００５０】
次のステップＳ５１０では、リニアイメージセンサ４０３の第１センサ及び第２センサから出力されたデータを並び替えて、データを合成する。
【００５１】
ステップＳ５１１では、ホストとなる外部装置４０１により予め設定されたガンマカーブに従って、画像データに対してガンマ変換処理を行い、また外部装置４０１により予め設定された画像出力モードに従ってパッキング処理を行う。
【００５２】
ステップ５１２では、こうして得られた画像データをスキャナドライバに渡して本画像読取処理を終了する。
【００５３】
かくして、低解像度での画像読取りでは、第１センサのみからの出力データに基づくデータ処理のため、処理時間を短くでき、また、高解像度での画像読取りでは、高価な高解像度用リニアイメージセンサを用いないので、低コストの画像読取装置を提供できる。
【００５４】
さらに、高解像度での画像読取りの対象となるフィルム原稿は、通常原稿に比べてサイズが小さいので、原稿台の全面での高解像度読取りを必要とせず、第２センサによる読取り可能領域（第２センサの主走査方向の長さをほぼ一辺とし、第２センサの主走査方向の配置位置で決まる原稿台上の所定の領域）を、このフィルム原稿のサイズに合わせておけば、低解像度読取り用の第１センサと、該第１センサと同じセンサ素子密度の第２センサとで容易に高解像度読取りを実現できる。
【００５５】
〔第３の実施の形態〕
図５は、第３の実施の形態に係る画像読取装置に使用されるリニアイメージセンサの構成を示す平面図である。（Ｂ）は（Ａ）におけるＲ（赤色）のセンサ部の部分拡大図である。第３の実施の形態におけるリニアイメージセンサも、第２の実施の形態におけるリニアイメージセンサと同様に、カラー画像を読取るためのものである。
【００５６】
第３の実施の形態では、通常の低解像度での読取り用に用いるためのＲＧＢ各色に対応した第１センサ３０１と、高解像度での読取り用に用いるためのＲＧＢ各色に対応した第２センサ３０２とを備える。第１センサ３０１のＲＧＢ各色に対応した各受光部はそれぞれ、ピッチＰ１で配列される（例えば、図５（Ｂ）に、Ｒに対応した受光部３０１ｒを示す）。また、第２センサ３０２のＲＧＢ各色に対応した各受光部もそれぞれ、ピッチＰ１で配列される（例えば、図５（Ｂ）に、Ｒに対応した受光部３０２ｒを示す）。第１センサ３０１及び第２センサ３０２は、同一基板３０３上に形成され、同一パッケージ３０６に収納される。なお、第１センサ３０１及び第２センサ３０２の同一色に対応する各受光部（例えば、Ｒに対応した受光部３０１ｒ，３０２ｒ）は互いに距離Ｄ２だけ離れて配置される。また、第２センサ３０２は、第１センサ３０１に対して、（Ｐ１）／２ピッチだけ主走査方向にずれて配置される。
【００５７】
そして、通常の低解像度での読取りでは、第１センサ３０１のみを用い、高解像度での読取りでは、第１センサ３０１及び第２センサ３０２を用いる。なお、高解像度での読取りでは、第１及び第２の実施の形態とは異なり、第１センサ３０１の各色の受光部での読取りを完了した後に、第２センサ３０２の各色の受光部での読取りを行うようにする。これは、例えば第１センサ３０１の受光部３０１ｒと第２センサ３０２の受光部３０２ｒとの間に、第１センサ３０１のＧ及びＢの受光部が位置しているため、各色の受光部ごとに読み取りを行うと、画素信号出力の時間的な逆転が発生するので、これを避けるためである。
【００５８】
〔他の実施の形態〕
なお、上記の第１乃至第３の実施の形態におけるリニアイメージセンサは、例えばＣＣＤ，ＣＭＯＳセンサ、あるいは光の強度を電気信号に変換するのに適した他のセンサであってもよい。また、ＣＣＤあるいはＣＭＯＳなどの技術を用いることができるコンタクトイメージセンサ（ＣＩＳ）であってもよい。さらに、カラーフィルタを用いずに、Ｒ，Ｇ，Ｂ等のＬＥＤ光源を用いて原稿を順次照明して、カラー画像の読取りを行うような構成の画像読取装置にも、本発明は適用可能である。
【００５９】
なおまた、本発明の目的は、前述した各実施の形態の機能を実現するソフトウェアのプログラムコードを記録した記憶媒体を、システムまたは装置に供給し、そのシステムまたは装置のコンピュータ（またはＣＰＵ、ＭＰＵ等）が記憶媒体に格納されたプログラムコードを読み出して実行することによっても達成される。
【００６０】
この場合、記憶媒体から読み出されたプログラムコード自体が本発明の新規な機能を実現することになり、そのプログラムコードを記憶した記憶媒体およびプログラムは本発明を構成することになる。
【００６１】
また、プログラムコードを供給するための記憶媒体としては、例えば、フレキシブルディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。或いは、上記プログラムは、インターネット、商用ネットワーク、若しくはローカルエリアネットワーク等に接続される他のコンピュータやデータベース等からダウンロードすることにより供給される。
【００６２】
また、コンピュータが読み出したプログラムコードを実行することにより、前述した各実施の形態の機能が実現されるだけでなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【００６３】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した各実施の形態の機能が実現される場合も含まれる。
【図面の簡単な説明】
【００６４】
【図１】本発明の第１の実施の形態に係る画像読取装置に使用されるリニアイメージセンサの構成を示す平面図である。
【図２】第２の実施の形態に係る画像読取装置に使用されるリニアイメージセンサの構成を示す平面図である。
【図３】第２の実施の形態におけるリニアイメージセンサを備えた画像読取装置の構成を示すブロック図である。
【図４】図３に示す画像読取装置において行われる画像読取処理の手順を示すフローチャートである。
【図５】第３の実施の形態に係る画像読取装置に使用されるリニアイメージセンサの構成を示す平面図である。
【符号の説明】
【００６５】
１０１  第１センサ（第１の光電変換手段）
１０１−１〜１０１−ｎ  受光部（複数の第１の受光部）
１０２  第２センサ（第２の光電変換手段）
１０２−１〜１０２−ｎ  受光部（複数の第２の受光部）
１０３  基板
１０６  パッケージ
２０１ｒ，２０１ｇ，２０１ｂ  受光部
２０２ｒ，２０２ｇ，２０２ｂ  受光部
４０１  外部装置
４０３  リニアイメージセンサ
４０４  センサドライブ回路（画像データ処理手段）
４０５  ＡＦＥ（画像データ処理手段）
４０６  空間位置補正回路（画像データ処理手段）
４０７  タイミング補正部（画像データ処理手段）
４０８  シェーディング補正回路（画像データ処理手段）
４１０  データ並び替え回路（画像データ処理手段）
４１１  画像処理回路（画像データ処理手段）
４１３  ＣＰＵ（画像データ処理手段）
【図１】
2006093820.tif 000003
【図２】
2006093820.tif 000004
【図３】
2006093820.tif 000005
【図４】
2006093820.tif 000006
【図５】
2006093820.tif 000007